(57)【特許請求の範囲】
【請求項１】
搬送コンベヤ、及び整列コンベヤを具備し、
前記搬送コンベヤは、搬送方向上流側の回転体と搬送方向下流側の回転体とに巻回されて回動すると共に、外周面を搬送物が載置される搬送面として設定された無端搬送体とを備え、
前記整列コンベヤは、前記搬送コンベヤの前記回転体の軸と平行な軸を有する搬送方向上流側の回転体と搬送方向下流側の回転体とに巻回されて回動する無端回動体と、前記無端回動体の外周側に、先端部が前記無端回動体の径方向外方へ突出するように設けられた複数の接触体とを備え、
前記接触体は、前記無端搬送体の搬送方向上流側と対向する前記接触体の対向面部が、前記搬送面に載置される前記搬送物の搬送方向下流側の面と対向するように突設されていると共に、前記無端回動体の回動方向に沿って同一ピッチで配列され、前記無端回動体の回動方向と直交する方向で隣接して複数列となるように配置し、且つ隣接する一方の列における前記接触体と、他方の列における前記接触体とが、夫々、前記無端回動体の回動方向に沿って千鳥状となるように配列され、
前記無端回動体は、前記接触体が前記無端搬送体の搬送方向に沿って移動する方向に回動すると共に、前記無端搬送体の回動速度よりも低い速度に設定されていることを特徴とするピッチ整列コンベヤ。
【請求項２】
前記接触体は、前記無端回動体の回動方向と直交する軸を中心に回転自在、且つ前記接触体の前記無端搬送体の搬送方向に沿う移動時において、前記先端部が、前記無端回動体の径方向外方へ突出するように軸支されていると共に、前記無端回動体に設けられた回転阻止部により、突出状態における前記接触体の前記無端回動体の回動方向と同方向への回転が阻止されていることを特徴とする請求項１記載のピッチ整列コンベヤ。
【請求項３】
前記接触体は、前記搬送方向への移動時において、前記先端部が突出するように起立する起立状態にされると共に、非搬送方向への移動時に傾倒する傾倒状態にされ、且つ前記無端回動体の前記回転体での反転時に交互に切り替わるように軸支され、更に、前記無端回動体に設けられた傾倒保持部により、傾倒状態が保持されていることを特徴とする請求項２記載のピッチ整列コンベヤ。
【請求項４】
前記無端回動体は、前記無端回動体の搬送方向上流側の前記回転体と同軸で軸支されたローラを更に備え、前記ローラは、前記無端回動体の前記接触体の傾倒状態から起立状態への切り替え反転時に、前記傾倒状態の前記接触体を、該接触体の回転方向で前記ローラの前記外周面に接触させて、前記接触体の起立状態への回転を阻止すると共に、前記接触体を軸支する支軸の位置が、前記ローラの搬送方向と直交する経線を通過したときに、前記外周面に対する前記接触体の接触を解除して、前記接触体を傾倒状態から起立状態へ回転させる直径を有することを特徴とする請求項３記載のピッチ整列コンベヤ。
【請求項５】
前記無端回動体は、前記搬送コンベヤの前記回転体の軸と平行な軸を有して支持された駆動回転体の軸方向に沿って並列するように、前記駆動回転体に巻回されて回動する環状体と、前記搬送方向と直交する軸を有し、前記環状体に対して該環状体間にわたるように支持された複数の支持軸と、搬送方向で隣り合う前記支持軸にわたるように、該支持軸に対して回転自在に軸支された支持体とを備え、前記接触体が前記支持体に対して前記支持軸の軸と平行な軸を中心に回転自在に軸支されていることを特徴とする請求項１乃至４いずれか１項記載のピッチ整列コンベヤ。
【請求項６】
前記整列コンベヤは、前記接触体の前記先端部が、前記搬送コンベヤの前記搬送面と対向するように配置されていることを特徴とする請求項１乃至５いずれか１項記載のピッチ整列コンベヤ。
【請求項７】
前記整列コンベヤは、前記接触体が、前記搬送コンベヤに対して、該搬送コンベヤの搬送方向と直交する方向で隣接するように配置されていることを特徴とする請求項１乃至５いずれか１項記載のピッチ整列コンベヤ。
【請求項８】
前記整列コンベヤは、前記接触体の突出方向に沿って、該接触体の前記先端部の位置が、前記搬送面に対して接近・離間するように支持されていることを特徴とする請求項１乃至７いずれか１項記載のピッチ整列コンベヤ。
【請求項９】
前記接触体は、前記無端回動体に対して、着脱自在に支持されていることを特徴とする請求項１乃至８いずれか１項記載のピッチ整列コンベヤ。
【発明の詳細な説明】
【技術分野】
【０００１】
本発明は、搬送される複数の搬送物が搬送中に、搬送物間の搬送方向におけるピッチを一定に整列させる機能を有するピッチ整列コンベヤに関する。
【背景技術】
【０００２】
各種製造ラインでは、製造装置から順次排出される物品が、次工程に向かってコンベヤで搬送されるが、次工程の作業内容によっては、搬送方向のピッチが不規則な物品（以下「搬送物」という）を一定ピッチに整列して搬送する必要がある。
【０００３】
この搬送方向のピッチが不規則な搬送物を、搬送しながら一定のピッチに整列して搬送するコンベヤとして、下記、特許文献１に記載されているように、搬送面を構成するローラの回転速度に速度差をつけることで整列させるコンベヤが提案されている。
【０００４】
特許文献１の従来技術のコンベヤは、複数本のローラを並設支持したローラユニットを機台に取着部材を介して複数基設置し、他方、機台の一側方には前記ローラユニットを構成するローラの本数と同数の駆動軸をローラユニットと直角に交差して配置し、且つ駆動軸に駆動磁石を一体回転状に配設し、その駆動磁石とローラの軸方向一端部に一体回転可能に配設した従動磁石の磁力により、各ローラユニットのローラが磁力によって回転駆動するようにされている。
【０００５】
そして、各駆動軸はモータで独立駆動すると共に、回転速度を周期的に変化させることによって、ローラユニットの各ローラの回転速度の位相を搬送方向に向けて順にずらすように設定されている。
【０００６】
これにより、ローラの回転速度が周期的に変化すると共に、各ローラの回転速度の位相を搬送方向に向けて順にずらすことで、ローラ群で形成される搬送面にランダムなピッチで搬送される物品を、搬送中にローラの軸方向に整列することができるようになっている。
【０００７】
【特許文献１】特許第４６５９５３５号公報
【発明の開示】
【発明が解決しようとする課題】
【０００８】
しかしながら、特許文献１の従来技術のコンベヤは、ローラユニットの各ローラの回転速度の位相を搬送方向に向けて順にずらすため、駆動軸はローラユニットを構成するローラの本数と同数だけ設置する必要があり、しかも、それら各駆動軸は別々のモータで駆動し、回転速度を周期的に変化させる制御が必要である。
【０００９】
したがって、コンベヤの構成が複雑化し、且つ駆動源のモータの台数も多く、ローラユニットを構成するために、従動磁石の取付け位置が異なる複数種類のローラを用意する必要があるため、コンベヤの製作コストが高騰するという問題があった。
【００１０】
また、駆動軸を回転する各モータは、ローラの回転速度が周期的に変化するように、しかも、搬送物間のピッチに対応した調整には、複雑な制御が必要であるという問題があった。
【００１１】
本発明は、このような問題に対処することを課題の一例とするものである。すなわち、コンベヤの構成、及び制御を簡素化できること、これにより、コンベヤの製作コストを低減できること、コンベヤの構成、及び制御を簡素化した上で、搬送物の整列、及び搬送を効率よく行うことができること、等が本発明の目的である。
【課題を解決するための手段】
【００１２】
このような目的を達成するために、本発明に係るピッチ整列コンベヤは、以下の構成を少なくとも具備するものである。
【００１３】
搬送コンベヤ、及び整列コンベヤを具備し、前記搬送コンベヤは、搬送方向上流側の回転体と搬送方向下流側の回転体とに巻回されて回動すると共に、外周面を搬送物が載置される搬送面として設定された無端搬送体とを備え、前記整列コンベヤは、前記搬送コンベヤの前記回転体の軸と平行な軸を有する搬送方向上流側の回転体と搬送方向下流側の回転体とに巻回されて回動する無端回動体と、前記無端回動体の外周側に、先端部が前記無端回動体の径方向外方へ突出するように設けられた複数の接触体とを備え、前記接触体は、前記無端搬送体の搬送方向上流側と対向する前記接触体の対向面部が、前記搬送面に載置される前記搬送物の搬送方向下流側の面と対向するように突設されていると共に、前記無端回動体の回動方向に沿って同一ピッチで配列され、前記無端回動体の回動方向と直交する方向で隣接して複数列となるように配置し、且つ隣接する一方の列における前記接触体と、他方の列における前記接触体とが、夫々、前記無端回動体の回動方向に沿って千鳥状となるように配列され、前記無端回動体は、前記接触体が前記無端搬送体の搬送方向に沿って移動する方向に回動すると共に、前記無端搬送体の回動速度よりも低い速度に設定されていることを特徴とするピッチ整列コンベヤ。
【発明の効果】
【００１４】
本発明は、以上の構成により、コンベヤの構成、及び制御を簡素化できると共に、コンベヤの製作コストを低減できる。しかも、コンベヤの構成、及び制御を簡素化した上で、搬送物の整列、及び搬送を効率よく行うことができる。
【図面の簡単な説明】
【００１５】
【図１】本発明に係る一実施形態のピッチ整列コンベヤを示す概略正面図である。
【図２】図１の後面図である。
【図３】本発明に係る他の実施形態のピッチ整列コンベヤを示す概略正面図である。
【図４】図３の後面図である。
【図５】図１に示すピッチ整列コンベヤを具体的に示す正面図である。
【図６】図５の平面図である。
【図７】図５の後面図である。
【図８】図５の要部拡大図である。
【図９】図６の要部拡大図である。
【図１０】図７の要部拡大図である。
【発明を実施するための形態】
【００１６】
本発明に係るピッチ整列コンベヤは、前記接触体が、前記無端回動体の回動方向と直交する軸を中心に回転自在、且つ前記接触体の前記無端搬送体の搬送方向に沿う移動時において、前記先端部が、前記無端回動体の径方向外方へ突出するように軸支されていると共に、前記無端回動体に設けられた回転阻止部により、突出状態における前記接触体の前記無端回動体の回動方向と同方向への回転が阻止されていることが好ましい。
【００１７】
また、前記接触体は、前記搬送方向への移動時において、前記先端部が突出するように起立する起立状態にされると共に、非搬送方向への移動時に傾倒する傾倒状態にされ、且つ前記無端回動体の前記回転体での反転時に交互に切り替わるように軸支され、更に、前記無端回動体に設けられた傾倒保持部により、傾倒状態が保持されていることが好ましい。
【００１８】
また、前記無端回動体は、前記無端回動体の搬送方向上流側の前記回転体と同軸で軸支されたローラを更に備え、前記ローラは、前記無端回動体の前記接触体の傾倒状態から起立状態への切り替え反転時に、前記傾倒状態の前記接触体を、該接触体の回転方向で前記ローラの前記外周面に接触させて、前記接触体の起立状態への回転を阻止すると共に、前記接触体を軸支する支軸の位置が、前記ローラの搬送方向と直交する経線を通過したときに、前記外周面に対する前記接触体の接触を解除して、前記接触体を傾倒状態から起立状態へ回転させる直径を有することが好ましい。
【００１９】
本発明に係るピッチ整列コンベヤは、前記無端回動体が、該無端回動体の搬送方向と直交する方向で並列するように、前記無端回動体の搬送方向上流側の前記回転体と搬送方向下流側の前記回転体とに巻回されて回動する環状体と、前記搬送方向と直交する軸を有し、前記環状体に対して該環状体間にわたるように支持された複数の支持軸と、搬送方向で隣り合う前記支持軸にわたるように、該支持軸に対して回転自在に軸支された支持体とを備え、前記接触体が前記支持体に対して前記支持軸の軸と平行な軸を中心に回転自在に軸支されていることが好ましい。
【００２０】
また、本発明に係るピッチ整列コンベヤは、前記整列コンベヤを、前記接触体の前記先端部が、前記搬送コンベヤの前記搬送面と対向するように配置してもよいし、また、前記整列コンベヤを、前記接触体が、前記搬送コンベヤに対して、該搬送コンベヤの搬送方向と直交する方向で隣接するように配置してもよい。
【００２１】
また、前記整列コンベヤは、前記接触体の突出方向に沿って、該接触体の前記先端部の位置が、前記搬送面に対して接近・離間するように支持されていることが好ましい。
【００２２】
また、前記接触体は、前記無端回動体に対して、着脱自在に支持されていることが好ましい。
【００２３】
また、前記無端回動体の回動方向に沿って配列された前記接触体が、前記無端回動体の回動方向と直交する方向で隣接して複数列となるように配置されていると共に、隣接する一方の列における前記接触体と、他方の列における前記接触体とが、夫々、前記無端回動体の回動方向に沿って千鳥状となるように配列されていることが好ましい。
【００２４】
以下、本発明に係る実施形態のピッチ整列コンベヤを図１〜図１０に基づいて説明する。尚、以下で説明する各実施形態は、本発明を限定するものではない。
【００２５】
ピッチ整列コンベヤＡ、Ａ’は、搬送物Ｂを搬送する搬送コンベヤ１と、搬送コンベヤ１で搬送される搬送物Ｂを搬送コンベヤ１上で整列させる接触体３を有する整列コンベヤ２を備えており、基本的には、図１〜図２に示すように、搬送コンベヤ１の直上に整列コンベヤ２を配したタイプ(ピッチ整列コンベヤＡ)と、図３〜図４に示すように、搬送コンベヤ１に対して軸方向で隣り合うように整列コンベヤ２を配したタイプ(ピッチ整列コンベヤＡ’)とに大別される。
【００２６】
ピッチ整列コンベヤＡ、Ａ’は、いずれも、搬送コンベヤ１の回動速度(搬送速度)が、整列コンベヤ２の回動速度よりも高速度に設定され、搬送コンベヤ１で搬送される搬送物Ｂを、整列コンベヤ２との速度差によって、接触体３に押し付けるように接触させることで搬送物Ｂの整列を行うようになっている。
【００２７】
搬送コンベヤ１の回動速度と整列コンベヤ２の回動速度との速度差は、搬送コンベヤ１で搬送される搬送物Ｂが、少なくとも、整列コンベヤ２に至ってから通過するまでの範囲で、接触体３に押し付けられるように接触して、搬送物Ｂの姿勢の修正、及び整列を行うことができる速度差である。
【００２８】
搬送コンベヤ１には、搬送コンベヤ１の上流側に連設されたコンベヤ１００から複数の搬送物Ｂが移送されるが、コンベヤ１００の搬送速度を搬送コンベヤ１の搬送速度をよりも低速度とし、この搬送コンベヤ１との速度差によって、搬送物Ｂのコンベヤ１００から搬送コンベヤ１への移送時に、コンベヤ１００上で搬送方向に沿って隣り合う搬送物Ｂ同士を切り離す（間隔を空ける）ことができるようになっている。
【００２９】
尚、以下の説明において、搬送コンベヤ１の搬送方向上流側を「後」、搬送方向下流側を「前」、前後方向に対して水平方向で直交する方向を「左右」、前後方向に対して鉛直方向で直交する方向を「上下」とする。
【００３０】
搬送コンベヤ１は、左右方向を軸として前側に軸支されたローラ形状の駆動回転体（搬送方向下流側の回転体）１０と、駆動回転体１０の軸と平行な軸を有して後側に軸支されたローラ形状の従動回転体（搬送方向上流側の回転体）１１と、駆動回転体１０と従動回転体１１とにわたって巻回されて回動し、外周の上面側を搬送物Ｂが載置される搬送面１２として設定されたベルト形状の無端搬送体１３と、駆動回転体の駆動源となるモータ１４とを備えたものである。
【００３１】
整列コンベヤ２は、左右方向を軸として前側に軸支されたローラ形状の駆動回転体（搬送方向下流側の回転体）２０と、駆動回転体２０の軸と平行な軸を有して後側に軸支されたローラ形状の従動回転体（搬送方向上流側の回転体）２１と、駆動回転体２０と従動回転体２１とにわたって巻回されて回動し、外周に周方向に沿うと共に、外方に突出するように複数突設された接触体３を備えたベルト形状の無端回動体２２と、駆動回転体２０の駆動源となるモータ２３とを備えたものである。
【００３２】
複数の接触体３は、左右の幅を無端回動体２２の左右の幅と同じとすると共に、後方側の面を搬送される搬送物Ｂが接触する接触面３０として、隣り合う接触体３同士の間隔を全て同じとし、無端回動体２２の径線に沿って突設されている。
【００３３】
このような搬送コンベヤ１及び整列コンベヤ２を備えたピッチ整列コンベヤＡにおいては、図１に示すように、搬送面１２を上に向けた状態で搬送コンベヤ１を水平として配置し、この搬送コンベヤ１の上方に、互いの駆動回転体１０、２０、及び従動回転体１１、２１とが平行な軸となるように、且つ接触体３の突出方向の先端部３１が、搬送面１２と対向し、この搬送面１２から上方に離間する位置に整列コンベヤ２を配置した構成にされている。
【００３４】
そして、整列コンベヤ２の回動方向は、先端部３１が搬送面１２と対向する接触体３を前方へ移動させる方向であり、すなわち、搬送コンベヤ１が搬送面１２を前方へ移動させる回動方向(図１において反時計回り方向)に対して、搬送面１２と同じく前方へ接触体３を移動させる回動方向(図１において時計周り方向)に設定される。
【００３５】
また、搬送面１２と、この搬送面１２と上方で対面する無端回動体２２の対向面２２Ａとの間隔は、搬送物Ｂの上下方向の高さよりも広くされている。
【００３６】
このような、ピッチ整列コンベヤＡでは、コンベヤ１００から移送され、距離（ピッチ）や向きが不揃いな状態で搬送コンベヤ１で搬送される搬送物Ｂが、整列コンベヤ２に至ると、整列コンベヤの回動速度よりも高速度の搬送コンベヤ１によって、搬送物Ｂの前面Ｂ１を接触体３の接触面３０に押し付けるように接触させて、搬送物Ｂの向きを真っ直ぐに修正すると共に、連続して搬送されて接触体３の接触面３０に押し付けられる搬送物Ｂとの距離（ピッチ）を一定に修正することができる。
【００３７】
そして、搬送コンベヤ１で搬送される搬送物Ｂが整列コンベヤ２を通過するときには、搬送物Ｂが真っ直ぐな状態、及び前後方向に並ぶ搬送物Ｂ同士の距離が全て一定な状態で、次工程へと搬送することができる。
【００３８】
したがって、搬送コンベヤ１、及び整列コンベヤ２の回動を止めることなく継続しながら、搬送物Ｂの姿勢、及び連続して搬送される複数の搬送物Ｂ同士の距離を一定に修正することができ、これによって、効率的、且つ確実に搬送物Ｂの整列、及び搬送を行うことができる。
【００３９】
ピッチ整列コンベヤＡ’では、図４に示すように、駆動回転体１０、２０、及び従動回転体１１、２１の軸を全て平行として、複数列(図示では２列)の搬送コンベヤ１を左右方向で並列するように配置すると共に、搬送コンベヤ１の間、且つ下方に、接触体３の先端部３１が搬送面１２よりも上方に位置するように整列コンベヤ２を配置した構成にされている。
【００４０】
また、搬送コンベヤ１は、搬送面１２が水平になるように配置され、整列コンベヤ２は、無端回動体２２の上面２２Ｂが搬送面１２と平行となるように水平に配置されている。
【００４１】
尚、搬送コンベヤ１の搬送面１２と無端回動体２２の上面２２Ｂとは、同面としてもよく、接触体３の先端部３１が搬送面１２よりも上方にあればよい。
【００４２】
搬送コンベヤ１と整列コンベヤ２の回動方向は、同じ方向(図３において反時計方向)であり、搬送面１２、及び接触体３を前方へ移動させる方向である。
【００４３】
このピッチ整列コンベヤＡ’によっても、ピッチ整列コンベヤＡと同じく、効率的、且つ確実に搬送物Ｂの整列、及び搬送を行うことができるという効果を奏する。
【００４４】
尚、ピッチ整列コンベヤＡ、Ａ’は、搬送コンベヤ１、及び無端回動体２２を水平とした形態に限らず、前方、又は後方に傾斜する形態としてもよい。
【００４５】
また、ピッチ整列コンベヤＡ、Ａ’は、整列コンベヤ２を上下動自在に支持してもよく、この整列コンベヤ２の上下動によって、搬送コンベヤ１の搬送面１２に対する接触体３の先端部３１の高さ、及び搬送面１２と上方で対向する無端回動体２２の対向面２２Ａとの間隔を、搬送物Ｂの高さ・形状に応じて変更することができる。
【００４６】
また、無端回動体２２に対して接触体３を着脱自在とすると共に、無端回動体２２の回動方向に沿って接触体３の位置を変更することで、接触体３同士の間隔を長短調節できるようにしてもよい。
【００４７】
次に、ピッチ整列コンベヤＡを具体化したピッチ整列コンベヤＡ’’を、図５〜図１０に基づいて説明する。このピッチ整列コンベヤＡ’’は、搬送コンベヤ１と整列コンベヤ２の回動を止めずに継続した状態で、搬送物Ｂを搬送中に整列させながら次工程へと搬送するという、基本的な作用を同一とし、更に、搬送される搬送物Ｂが整列コンベヤ２に至ったときに、搬送物Ｂが接触体３に引っ掛からずに、スムーズに接触面３０に接触できるようにしたものである。
【００４８】
尚、ピッチ整列コンベヤＡ、及びピッチ整列コンベヤＡ’と重複する部位についての説明は、同符号を付すことにより省略する。
【００４９】
整列コンベヤ２は、左右一対とするスプロケットからなる駆動回転体２０と、同じく左右一対とするスプロケットからなる従動回転体２１と、この駆動回転体２０と従動回転体２１とにわたって巻回された左右一対とするチェーンからなる環状体２２Ｃを備えた無端回動体２２を備えている。
【００５０】
この整列コンベヤ２は、搬送コンベヤ１に対して、ボルト・ナットＣ１、及びボルト・ナットＣ１を支持するステーＣ２とでなる高さ調整機構Ｃを介して、上下動自在に支持されており、この整列コンベヤ２を上下動させることによって、突出状態の接触体３の先端部３１と搬送面１２との間隔を調整できると共に、搬送面１２と向かい合う整列コンベヤ２の後述する支持軸２２Ｄとの間隔を調整できるようにされている。
【００５１】
ボルト・ナットＣ１、及びボルト・ナットＣ１を支持するステーＣ２は、整列コンベヤ２の四隅に対応する位置に設けられている。
【００５２】
無端回動体２２は、更に、駆動回転体２０と平行な軸を有し、環状体２２Ｃ間にわたるように支持された複数の前述した支持軸２２Ｄと、前後方向で隣り合う２本の支持軸２２Ｄにわたり、支持軸２２Ｄに対して回転自在に軸支された支持体２２Ｅとが備えられており、この支持体２２Ｅに、接触体３が左右の軸を中心に回転自在に軸支されている。
【００５３】
支持軸２２Ｄは、環状体２２Ｃの左右方向の内側に取り付けられた複数のステー２２Ｆに対し、ボルト・ナット２２Ｇによって、着脱自在に支持されている。
【００５４】
ステー２２Ｆは、環状体２２Ｃの外リンク２４と内リンク２５とを連結するピン２６に支持されていると共に、複数の外リンク２４の隣り合う二つの外リンク２４の一つに支持されており、ステー２２Ｆを取り付けた外リンク２４とステー２２Ｆを取り付けていない外リンク２４とが交互となるようにされている。
【００５５】
すなわち、支持体２２Ｅを軸支した２本一対の支持軸２２Ｄが、隣り合う外リンク２４に対して交互に取り付けられており、一つ以上の支持軸２２Ｄを着脱、又は一つ以上の支持軸２２Ｄに対して支持体２２Ｅを着脱、或いは一つ以上の支持体２２Ｅに対して接触体３を着脱することによって、隣り合う支持軸２２Ｄ間の間隔を調整することができると共に、支持体２２Ｅに軸支された接触部３間の間隔を調整することができる。
【００５６】
図示においては、全てのステー２２Ｆに支持軸２２Ｄを取り付けた状態であり、前後長さが最も短い搬送物Ｂに対応しており、この状態から支持軸２２Ｄを取り外すことで、前後方向の長さが長い搬送物Ｂに対応することができ、また、支持体２２Ｅ、或いは接触体３の取り外しによっても同様な効果を奏する。
【００５７】
したがって、支持軸２２Ｄを取り外したり取り付けたりすることで、搬送物Ｂの前後方向の長さに応じて接触部３間の間隔を調整することができる。
【００５８】
支持体２２Ｅは、支持軸２２Ｄの軸に沿って複数支持されており、全ての支持体２２Ｅの左側の面に接触体３が軸支されている。
【００５９】
また、支持体２２Ｅは、支持軸２２Ｄの軸方向に沿って、搬送物Ｂの最大左右幅以上に対応できる数を備えており、接触体３の接触面３０に搬送物Ｂの前面Ｂ１が確実に接触できるようにされている。
【００６０】
接触体３は、環状体Ｃの搬送面１２との対向側において、先端部３１が搬送面１２と対向するように突出すると共に、接触面３０が後方を向き、環状体２２Ｃの非搬送（戻り）側において、接触面３０が下向きになると共に、先端部３１が前方を向くように、交互に回転するように軸支されている。
【００６１】
また、接触体３は、支持体２２Ｅに支持軸２２Ｄの軸と平行な方向に突設された回転阻止部４によって、突出した状態で搬送方向に沿って移動する接触体３の、駆動回転体２０の回転方向と同方向への回転が阻止されており、これによって、搬送コンベヤ１で搬送される搬送物Ｂが接触面３０に押し付けられても、接触体３を不動とすることができ、押し付けられる搬送物Ｂを確実に整列させることができる。
【００６２】
回転阻止部４は、接触体３が突出した状態で、接触体３を支持する支軸よりも上方で、接触面３０側に接触する一方、接触体３が傾倒した状態で、接触面３０側に接触するように設けられている。
【００６３】
接触体３が傾倒し、非搬送方向に沿って移動する状態では、支持体２２Ｅの、支持軸２２Ｄが挿通される筒体２２０（傾倒保持部２２０）の外周面の上方に接触体の先端部３１側が接触することで、接触体３の駆動回転体２０の回転方向と逆方向への回転を阻止すると共に、傾倒状態を保持しており、これによって、非搬送方向に沿って移動する接触体３の垂れ下がりを防ぐことができ、接触体３が垂れ下がることによる各部位への接触、及び接触による破損や騒音等を防ぐことができる。
【００６４】
尚、傾倒保持部２２０は、回転阻止体４を利用することができる。すなわち、接触体３が傾倒したときに、接触体３の下方で接触面３０側に接触して支えることで、接触体３の駆動回転体２０の回転方向と逆方向への回転を阻止すると共に、傾倒状態を保持することができる。
【００６５】
従動回転体２１の間には、従動回転体２１と同軸で回転するローラ５が軸支されている。ローラ５は、従動回転体２１の回動中、接触体３が非搬送方向から搬送方向へ反転するときに、接触体３の後端部３２側の角部３３が、ローラ５の外周面５０に接触する直径を有し、この外周面５０に角部３３が接触することで、接触体３の、従動回転体２１(駆動回転体２０)と同方向の回転を阻止するようにされている。
【００６６】
また、非搬送方向から搬送方向へ反転途中において、接触体３が傾倒状態から突出状態に切り替わるように回転するようにされているが、この切り替わる方向の回転が行われるタイミングは、突出状態となる接触体３の接触面３０が、搬送物Ｂの前面Ｂ１とほぼ正対する位置で切り替わるようにされ、このタイミングにおいて、角部３３がローラ５の外周面５０から離れて、接触体３が自重によって、従動回転体２１(駆動回転体２０)と同方向に回転すると共に、先端部３１が搬送面１２と対向するように突出した状態に切り替わるようにされている。
【００６７】
すなわち、接触体３が突出状態に切り替わったときには、接触面３０が搬送物Ｂの前面Ｂ１とほぼ正対するため、搬送される搬送物Ｂに対して、反転時における接触体３の突出角度を、先端部３１が、搬送物Ｂの前面Ｂ１、或いは前面Ｂ１と上面Ｂ２とにわたる部位に接触して押し付けると共に、押し付けられることで回転不能状態にすることない突出角度で突出させることができ、これによって、先端部３１が、前面Ｂ１、或いは前面Ｂ１と上面Ｂ２とにわたる部位に対して、刺さってしまうような事故を防止することができる。
【００６８】
また、接触体３が、非搬送方向から搬送方向への反転時に、先端部３１が搬送面１２と対向する方向に回転するときに、搬送物Ｂの搬送タイミングによっては、先端部３１が搬送物の上面Ｂ２に載った状態になることがある。
【００６９】
このとき、接触体３は、搬送物Ｂの上面Ｂ１に近づくと共に、この上面Ｂ１に押し付けられる方向に移動しているが、この移動による搬送物Ｂの上面Ｂ１に押し付ける力を、従動回転体２１(駆動回転体２０)の回転方向と逆方向に回転することで逃がすことができ、これによって、接触体３と搬送物Ｂとの接触による接触体３、及び搬送物Ｂの破損や変形等の発生を防止することができる。
【００７０】
また、接触体３を載せた搬送物Ｂが、搬送コンベヤ１の搬送によって接触体３を通過し、搬送物Ｂの通過後に接触体３が回転して突出状態となる。
【００７１】
一方、接触体３が駆動回転体２０側で反転するときには、この反転に伴って、接触体３が突出状態から駆動回転体２０の回転方向と反対方向に回転して傾倒状態に切り替わるようにされている。
【００７２】
すなわち、このような整列コンベヤ２を備えたピッチ整列コンベヤＡ’’によると、搬送コンベヤ１と整列コンベヤ２との速度差によって、搬送コンベヤ１で搬送する搬送物Ｂを、その搬送中に整列コンベヤ２の接触体３に押し付けるように接触させると共に、整列させることができる。
【００７３】
また、搬送コンベヤ１及び整列コンベヤ２の回動を止めることなく、連続する搬送中に、搬送物Ｂの整列を行うことができるので、搬送物Ｂの整列、及び搬送を効率的に行うことができる。
【００７４】
符号６は、搬送物Ｂを搬送位置に導くガイド部であり、このガイド部６は、搬送面１２の前後方向に沿って、左右方向で２本一対として配されており、この２本のガイド部６の間隔を搬送物Ｂの左右幅に適合する間隔にされている。
【００７５】
また、ガイド部６は、その後端側を左右に拡開しており、搬送される搬送物Ｂに左右方向でずれが生じている場合に、搬送物Ｂが拡開部分に接触することで、ずれを解消することができるようにされている。
【００７６】
また、ガイド部６は、左右の間隔を搬送物Ｂの左右幅に対応できると共に、接触体３に干渉しない位置に配置できるように、調整自在にされている。
【００７７】
このガイド部６によると、搬送物Ｂを左右から支持することで、搬送中での左右のずれを防止することができると共に、修正することができる。
【００７８】
ピッチ整列コンベヤＡ’’に用いられる整列コンベヤ２は、ピッチ整列コンベヤＡ’のように搬送コンベヤ１と整列コンベヤ２とを左右方向で隣り合うように配したものにも実施ができる（図示せず）。
【００７９】
この整列コンベヤ２は、回転自在な接触体３を常に突出させる回転方向に付勢する付勢部（各種スプリング等）を設け、搬送面１２に沿って移動するときに突出状態を保持することで、搬送物Ｂの前面Ｂ１を接触体３の接触面３０に接触させることができる（図示せず）。
【００８０】
また、接触体３を非搬送方向の移動において、付勢部の付勢力に抗して傾倒状態を保持し、非搬送方向から搬送方向へ反転途中において、接触体３を傾倒状態から突出状態に切り替わるようにしてもよい（図示せず）。
【００８１】
図５〜図１０で示す整列コンベヤ２は、左右２列で搬送される搬送物Ｂを整列させると共に、前後方向で、左右の搬送物Ｂの整列位置がずれる（千鳥配列となる）ように、接触体３を左右に振り分けた形態としている。
【００８２】
具体的には、無端回動体２２の前後方向に沿って配列された接触体３が、左右方向で隣接して２列となるように配置されていると共に、隣接する一方の列における接触体３と、他方の列における接触体３とが、夫々、前記無端回動体の前後方向に沿って千鳥状となるように配列されており、この接触体３の配列形態によって、左右の搬送物Ｂを前後で千鳥配列することができる。
【００８３】
このように、左右の搬送物Ｂの整列位置を前後で千鳥配列となるように接触体３を左右に振り分けたことによると、次工程への搬送物Ｂを一つずつ、左右で順番に搬送することができ、これによって、左右で夫々搬送される搬送物Ｂを１列に合流させる次工程の作業内容に対応することができる。
【００８４】
尚、例示する整列コンベヤ２は、左右２列で搬送される搬送物Ｂを整列させると共に、前後方向で、左右の搬送物Ｂの整列位置がずれるように、接触体３を左右に振り分けた形態を示しているが、本発明では、この形態に限定するものではなく、１列で搬送される搬送物Ｂに対応して接触体３を１列とした形態としてもよいし、３列以上で搬送される搬送物Ｂに対応して接触体３を左右方向に３列以上とした形態としてもよい。  
【符号の説明】
【００８５】
Ａ：ピッチ整列コンベア
Ａ’：ピッチ整列コンベア
Ａ’’：ピッチ整列コンベア
Ｂ：搬送物
１：搬送コンベヤ
１０：駆動回転体
１１：従動回転体
１２：搬送面
１３：無端搬送体
２：整列コンベヤ
２０：駆動回転体
２１：従動回転体
２２：無端回動体
２２Ｃ：環状体
２２Ｄ：支持軸
２２Ｅ：支持体
３：接触体
３０：接触面
３１：先端部 
４：回転阻止部
５：ローラ
５０：外周面
２２０：筒体（傾斜保持部）
【図１】
0006650210.tif 000002
【図２】
0006650210.tif 000003
【図３】
0006650210.tif 000004
【図４】
0006650210.tif 000005
【図５】
0006650210.tif 000006
【図６】
0006650210.tif 000007
【図７】
0006650210.tif 000008
【図８】
0006650210.tif 000009
【図９】
0006650210.tif 000010
【図１０】
0006650210.tif 000011